【事件の表示】
　平成　８年特許願第５１３４７５号「負の複屈折性リジッドロッド重合体フィルム」拒絶査定不服審判事件〔平成　８年　４月２５日国際公開、ＷＯ９６／１１９６７、平成１０年　８月　４日国内公表、特表平１０−５０８０４８〕について、次のとおり審決する。
【結　論】
　本件審判の請求は、成り立たない。
【理　由】
I．手続の経緯
　本願は、１９９５年１０月１２日（パリ条約による優先権主張　１９９４年１０月１３日、（ＵＳ）アメリカ合衆国）を国際出願日とする出願であって、平成９年４月１１日に補正書の写し（翻訳文）が提出され、平成１６年４月８日付けで拒絶理由が通知され、その指定期間内である平成１６年１０月２０日に意見書が提出されたが、平成１６年１２月１３日付けで拒絶査定がなされ、これに対し、平成１７年３月２２日に審判請求がなされるとともに、平成１７年４月２０日に手続補正書が提出されたが、平成１７年８月１８日付けで前置報告がなされたものである。
　
II．補正却下の決定
１．平成１７年４月２０日付けの手続補正を却下する。
２．補正却下の決定の理由
〔１〕手続補正の内容
　平成１７年４月２０日付けでした手続補正（以下、「本件手続補正」という。）の内容は、特許請求の範囲の記載について、
「１  ポリアミド、ポリエステル、ポリ(アミド−イミド)及びポリ(エステル−イミド)でなる群から選ばれるリジッドロッド重合体から調製された液晶表示装置で使用される負の複屈折性フィルムであって、該フィルムが0.001〜0.2の負の複屈折率を有し、フィルムの複屈折率がバックボーン鎖の剛性及びリニアリティーの制御により重合体の面内配向の度合を制御することによって決定され、重合体のバックボーンの剛性及びリニアリティーが大きければ大きいほど、重合体フィルムの負の複屈折率の値が大きいものとなるものであることを特徴とする、負の複屈折性フィルム。
２  重合体が、一般式（Ｉ）
［式中、Ｆは、共有結合、Ｃ2アルケニル基、ハロゲン化Ｃ2アルケニル基、ＣＨ2基、C(CX3)2基（ここで、Ｘは、ハロゲン、水素である）、ＣＯ基、Ｏ原子、Ｓ原子、ＳＯ2基、Si(R)2基（ここで、Ｒは、Ｃ1-3アルキル基、Ｃ1-3ハロゲン化アルキル基である）、又はＮ(Ｒ)基（ここで、Ｒは前記と同意義である）でなる群から選ばれる基であり、さらに、Ｆはカルボニル官能基又はＹ基に対してメタ位又はパラ位にあり；Ｂは、ハロゲン、Ｃ1-3アルキル基、Ｃ1-3ハロゲン化アルキル基、フェニル基、又は置換フェニル基（ここで、フェニル環上の置換基としては、ハロゲン、Ｃ1-3アルキル基、Ｃ1-3ハロゲン化アルキル基及びこれらの組合せがある）でなる群から選ばれるものであり；ｎは０〜４の整数であり；ｚは０〜３の整数であり；Ａは、水素、ハロゲン、Ｃ1-3アルキル基、Ｃ1-3ハロゲン化アルキル基、ニトロ基、シアノ基、Ｃ1-3のチオアルキル基、ＯＲ（ここで、Ｒは前記と同意義である）のアルコキシ基、アリール基、置換アリール基（ここで、置換基はハロゲンである）、Ｃ1-9アルキルエステル基、Ｃ1-12アリールエステル基、及びＣ1-12アリールアミドでなる群から選ばれるものであり；ｐは０〜３の整数であり；ｑは１〜３の整数であり；ｒは０〜３の整数であり；及びＹはＯ及びＮＨでなる群から選ばれるものである］で表される繰返し単位を有するポリアミド及びポリエステルでなる群から選ばれるものである、請求項１記載の重合体。
３  ｒ及びｑが１であり、ビフェニル環系の少なくとも１つが２及び２′位で置換されており、これにより、繰返し単位が、一般式（II）
（式中、Ｆがカルボニル又はＹ基に対してパラ配向の共有結合であり、ｍが０〜３の整数であり；さらに、ｘ及びｙが０〜１の整数であり、ただし、ｘ及びｙが共に０であることはない）に示されるように表される、請求項２記載の重合体。
４  ｍが０〜２の整数である、請求項３記載の重合体。
５  ビフェニル環系の両方が２及び２′位で置換されており、これにより、繰返し単位が、一般式（III）
に示されるように表される、請求項４記載の重合体。
６  ビフェニル環系が、それぞれ、ただ１対の置換基を有し、これにより、ポリアミド及びポリエステルの繰返し単位が、一般式（IV）
に示されるように表される、請求項５記載の重合体。
７  重合体がポリ(アミド−イミド)及びポリ(エステル−イミド)でなる群から選ばれるものであり；前記ポリ(アミド−イミド)のポリアミド成分が２価の酸とジアミンとの反応生成物であり、前記ポリ(エステル−イミド)のポリエステル成分が２価の酸とジオールとの反応生成物であり、これらポリアミド及びポリエステル成分が、一般式（Ｉ）
［式中、Ｆは、共有結合、Ｃ2アルケニル基、ハロゲン化Ｃ2アルケニル基、ＣＨ2基、C(CX3)2基（ここで、Ｘは、ハロゲン、水素である）、ＣＯ基、Ｏ原子、Ｓ原子、ＳＯ2基、Si(R)2基（ここで、Ｒは、Ｃ1-3アルキル基、Ｃ1-3ハロゲン化アルキル基である）、又はＮ(Ｒ)基（ここで、Ｒは前記と同意義である）でなる群から選ばれる基であり、さらに、Ｆはカルボニル官能基又はＹ基に対してメタ位又はパラ位にあり；Ｂは、ハロゲン、Ｃ1-3アルキル基、Ｃ1-3ハロゲン化アルキル基、フェニル基、又は置換フェニル基（ここで、フェニル環上の置換基としては、ハロゲン、Ｃ1-3アルキル基、Ｃ1-3ハロゲン化アルキル基及びこれらの組合せがある）でなる群から選ばれるものであり；ｎは０〜４の整数であり；ｚは０〜３の整数であり；Ａは、水素、ハロゲン、Ｃ1-3アルキル基、Ｃ1-3ハロゲン化アルキル基、ニトロ基、シアノ基、Ｃ1-3のチオアルキル基、ＯＲ（ここで、Ｒは前記と同意義である）のアルコキシ基、アリール基又は置換アリール基（ここで、置換基はハロゲンである）、Ｃ1-9アルキルエステル基、Ｃ1-12アリールエステル基、Ｃ1-12アリールアミドでなる群から選ばれるものであり；ｐは０〜３の整数であり；ｑは１〜３の整数であり；ｒは０〜３の整数であり；及びＹはＯ及びＮＨでなる群から選ばれるものである］で表される繰返し単位を有するものであり；ポリイミド成分が、（１）ジアンヒドリッドとジアミンの反応生成物（これにより、一般式（Ｖ）
［式中、さらに、Ｇは、共有結合又は結合、ＣＨ2基、C(CX3)2基（ここで、Ｘはハロゲン、水素である）、ＣＯ基、Ｏ原子、Ｓ原子、ＳＯ2基、Si(R)2基（ここで、ＲはＣ1-3アルキル基、Ｃ1-3ハロゲン化アルキル基である）、又はＮ(Ｒ)基（ここで、Ｒは前記と同意義である）でなる群から選ばれるものであり；さらに、Ｇはカルボニル官能基に対してγ又はδ位にある］に示されるポリイミド繰返し単位を生成する）及び（２）ジアンヒドリッドとジアミンの反応生成物（これにより、一般式（VI）
［式中、Ｒ1は、Ｈ、フェニル基、アルキル化フェニル基（ここで、アルキル基はＣ1-20ハロゲン化フェニル基、Ｃ1-20アルキル基及びＣ1-20ハロゲン化アルキル基から選ばれる）でなる群から独立して選択される置換基である］に示されるポリイミド繰返し単位を生成する）でなる群から選ばれるものである、請求項１記載の重合体。
８  ｒ及びｑがポリアミド及びポリエステル成分については１であり、ビフェニル環系の少なくとも１が２及び２′位で置換されており、これにより、繰返し単位が、一般式（II）
（式中、Ｆがカルボニル又はＹ基に対してパラ配向の共有結合であり及びｍが０〜３の整数であり；さらに、ｘ及びｙが０〜１の整数であり、ただし、ｘ及びｙの両方が０となることはない）に示されるように表され；及びポリイミド成分について、ビフェニル環系の少なくとも１が２及び２′位で置換されており、これにより、ポリイミド繰返し単位の繰返し単位が、一般式（VII）
（ここで、ｘ及びｙは前記と同意義である）に示されるように表される、請求項７記載の重合体。
９  ｍが０〜２の整数である、請求項８記載の重合体。
10  ポリアミド及びポリエステル成分に関するビフェニル環系の両方が２及び２′位で置換されており、これにより、繰返し単位が、一般式（III）
に示されるように表され；及びポリイミド成分の繰返し単位が２及び２′位で置換されており、これにより、一般式（VIII）
で表される、請求項９記載の重合体。
11  ポリエステル及びポリアミド成分のビフェニル環系が、それぞれ、ただ１対の置換基を有し、これにより、繰返し単位が、一般式（IV）
に示されるように表され；ポリイミド成分の繰返し単位が２及び２′位で置換されており、これにより、一般式（IX）
に示されるように表される、請求項１０記載の重合体。」を
「　　【請求項１】
　ポリアミド、ポリエステル、ポリ(アミド−イミド)及びポリ(エステル−イミド)でなる群から選ばれるリジッドロッド重合体から調製された液晶表示装置で使用される負の複屈折性フィルムであって、該フィルムが0.001〜０.２の負の複屈折率を有し、フィルムの負の複屈折率がバックボーン鎖の剛性及びリニアリティーの制御により重合体の面内配向の度合を制御することによって決定され、重合体のバックボーンの剛性及びリニアリティーが大きければ大きいほど、重合体フィルムの負の複屈折率の値が大きいものとなるものであり、
（Ａ）重合体がポリアミド及びポリエステルでなる群から選ばれるものである場合、重合体は、一般式（Ｉ）
［式中、Ｆは、共有結合、Ｃ2アルケニル基、ハロゲン化Ｃ2アルケニル基、ＣＨ2基、C(CX3)2基（ここで、Ｘは、ハロゲン又は水素である）、ＣＯ基、Ｏ原子、Ｓ原子、ＳＯ2基、Si(R)2基（ここで、Ｒは、Ｃ1-3アルキル基、Ｃ1-3ハロゲン化アルキル基である）、又はＮ(Ｒ)基（ここで、Ｒは前記と同意義である）でなる群から選ばれる基であり、さらに、Ｆはカルボニル官能基又はＹ基に対してメタ位又はパラ位にあり；
Ｂは、ハロゲン、Ｃ1-3アルキル基、Ｃ1-3ハロゲン化アルキル基、フェニル基、又は置換フェニル基（ここで、フェニル環上の置換基としては、ハロゲン、Ｃ1-3アルキル基、Ｃ1-3ハロゲン化アルキル基及びこれらの組合せがある）でなる群から選ばれるものであり；
ｎは０〜４の整数であり；
ｚは０〜３の整数であり；
Ａは、水素、ハロゲン、Ｃ1-3アルキル基、Ｃ1-3ハロゲン化アルキル基、ニトロ基、シアノ基、Ｃ1-3のチオアルキル基、ＯＲ（ここで、Ｒは前記と同意義である）のアルコキシ基、アリール基、ハロゲン化アリール基、Ｃ1-9アルキルエステル基、Ｃ1-12アリールエステル基、及びＣ1-12アリールアミドでなる群から選ばれるものであり；
ｐは０〜３の整数であり；
ｑは１〜３の整数であり；
ｒは０〜３の整数であり；及び
ＹはＯ及びＮＨでなる群から選ばれるものである］
で表される繰返し単位を有し、
（Ｂ）重合体がポリ(アミド−イミド)及びポリ(エステル−イミド)でなる群から選ばれるものである場合、前記ポリ(アミド−イミド)のポリアミド成分は、２価の酸とジアミンとの反応生成物であり、前記ポリ(エステル−イミド)のポリエステル成分は、２価の酸とジオールとの反応生成物であり、これらポリアミド及びポリエステル成分は、一般式（Ｉ）で表される繰返し単位を有し、ポリイミド成分は、
（１）ジアンヒドリッドとジアミンとの反応生成物であって、一般式（Ｖ）
［式中、Ｇは、共有結合又は結合、ＣＨ2基、C(CX3)2基（ここで、Ｘは前記と同意義である）、ＣＯ基、Ｏ原子、Ｓ原子、ＳＯ2基、Si(R)2基又はＮ(Ｒ)基（ここで、Ｒは前記と同意義である）でなる群から選ばれるものであり；さらに、Ｇはカルボニル官能基に対してγ又はδ位にある］で表されるポリイミド繰返し単位を有する反応生成物；及び（２）ジアンヒドリッドとジアミンとの反応生成物であって、一般式（VI）
［式中、Ｒ1は、Ｈ、フェニル基、アルキル化フェニル基（ここで、アルキル基は、Ｃ1-20ハロゲン化フェニル基、アルキル基及びＣ1-20ハロゲン化アルキル基から選ばれる）でなる群から独立して選択される置換基である］で表されるポリイミド繰返し単位を有する反応生成物でなる群から選ばれるものであることを特徴とする、負の複屈折性フィルム。
　　【請求項２】
　ｒ及びｑが１であり、ビフェニル環系の少なくとも１つが、フェニル環の間の共有結合に関して２及び２'位で置換されており、これにより、繰返し単位が、一般式（II）
（式中、ｍは０〜３の整数であり；さらに、ｘ及びｙは０〜１の整数であり、ただし、ｘ及びｙが共に０であることはない）に示されるように表される、請求項１記載の重合体。
　　【請求項３】
　ｍが０〜２の整数である、請求項２記載の重合体。
　　【請求項４】
　ビフェニル環系の両方が、フェニル環の間の共有結合に関して２及び２'位で置換されており、これにより、繰返し単位が、一般式（III）
に示されるように表される、請求項３記載の重合体。
　　【請求項５】
　ビフェニル環系が、それぞれ、フェニル環の間の共有結合に関して２及び２'位に、ただ１対の置換基を有し、これにより、ポリアミド及びポリエステルの繰返し単位が、一般式（IV）
に示されるように表される、請求項４記載の重合体。
　　【請求項６】
　ｒ及びｑが、ポリアミド及びポリエステル成分については１であり、ビフェニル環系の少なくとも１が、フェニル環の間の共有結合に関して２及び２'位で置換されており、これにより、繰返し単位が、一般式（II）
（式中、ｍは０〜３の整数であり；さらに、ｘ及びｙが０〜１の整数であり、ただし、ｘ及びｙの両方が０となることはない）に示されるように表され；及び
ポリイミド成分について、ビフェニル環系の少なくとも１が２及び２'位で置換されており、これにより、ポリイミド繰返し単位が、一般式（VII）
（ここで、ｘ及びｙは前記と同意義である）に示されるように表される、請求項１記載の重合体。
　　【請求項７】
　ｍが０〜２の整数である、請求項６記載の重合体。
　　【請求項８】
　ポリアミド及びポリエステル成分に関するビフェニル環系の両方が、フェニル環の間の共有結合に関して２及び２'位で置換されており、これにより、繰返し単位が、一般式（III）
に示されるように表され；及び
ポリイミド成分の繰返し単位が、２及び２'位で置換されており、これにより、一般式（VIII）
で表される、請求項７記載の重合体。
　　【請求項９】
　ポリエステル及びポリアミド成分のビフェニル環系が、それぞれ、ただ１つの置換基を有し、これにより、繰返し単位が、一般式（IV）
に示されるように表され；及び
ポリイミド成分の繰返し単位が、フェニル環の間の共有結合に関して２及び２'位で置換されており、これにより、一般式（IX）
に示されるように表される、請求項８記載の重合体。」と補正するものである。
　
〔２〕本件手続補正の適否について検討する。
　上記手続補正は、補正前の請求項１で規定するポリアミド、ポリエステル、ポリ（アミド−イミド）及びポリ（エステル−イミド）を補正前の請求項２、７の記載に基づいて特定構造を有する化合物に限定するものであり、当該補正は、補正前の特許請求の範囲請求項１に記載された発明を特定するために必要な事項を限定するものであって、特許請求の範囲の限定的減縮を目的とするものである。
　また、願書に最初に添付した明細書に記載した事項の範囲内においてする補正である。
　したがって、本件手続補正は、特許法第１７条の２第３項及び第４項第２号の規定に適合する。
　
〔３〕独立特許要件について
　本件手続補正は、上記のとおり、特許法第１７条の２第４項第２号に規定する事項を目的とするものであるから、特許法第１７条の２第５項において準用する同法第１２６条第５項の規定に適合する補正か否か（出願の際独立して特許を受けることができるものであるか否か）について、以下に検討する。
　
〔３〕−１．本件手続補正後の請求項５に係る発明（以下、「補正発明」という。）は、次のとおりのものである。
「【請求項５】
　ビフェニル環系が、それぞれ、フェニル環の間の共有結合に関して２及び２'位に、ただ１対の置換基を有し、これにより、ポリアミド及びポリエステルの繰返し単位が、一般式（IV）
に示されるように表される、請求項４記載の重合体。」
　ここで、補正後の特許請求の範囲は、重合体から調製されたフィルムの発明に係る請求項１と重合体の発明に係る請求項２〜９とからなっている。
  そして、請求項２〜９は、請求項１のフィルムの原料となる重合体の化学構造に関する部分について特定のものに限定しているものであり、請求項２〜９の末尾は「フィルム」ではなくあくまでも「重合体」であるから、請求項２〜９は請求項１のフィルムを作る上でその原料となる（化学物質である）重合体についての発明であると認められる。
　そこで、補正発明（重合体）について検討すると、請求項５は間接的に請求項１を引用するものであるから、請求項１の置換基Ａ、Ｂ及びＹの定義は、そのまま請求項５の一般式（ＩＶ）の定義となり、Ａは、水素、ハロゲン、Ｃ１−３アルキル、Ｃ１−３ハロゲン化アルキル、……でなる群から選ばれたものであり、Ｂはハロゲン、Ｃ１−３アルキル、Ｃ１−３ハロゲン化アルキル、……でなる群から選ばれたものであり、ＹはＯ及びＮＨでなる群から選ばれるものとなる。
　
〔３〕−２．刊行物１の記載事項
　原審において平成１６年４月８日付けで通知された拒絶理由に引用されたＨ．Ｇ．Ｒｏｇｅｒｓら、”Ｈｉｇｈｌｙ　Ａｍｏｒｐｈｏｕｓ，Ｂｉｒｅｆｒｉｎｇｅｎｔ，Ｐａｒａ−Ｌｉｎｋｅｄ　Ａｒｏｍａｔｉｃ，Ｐｏｌｙａｍｉｄｅｓ”，Ｍａｃｒｏｍｏｌｅｃｕｌｅｓ，米国，Ａｍｅｒｉｃａｎ　Ｃｈｅｍｉｃａｌ，Ｓｏｃｉｅｔｙ，１９８５年，Ｖｏｌｕｍｅ １８，Ｎｏ．６，１０５８−１０６８（以下、「刊行物１」という。）には、以下の事項が記載されている。
　刊行物１について
　ＴａｂｌｅＩ（１０５９頁）には「Ｍｏｌｅｃｕｌａｒ　Ｓｔｒｕｃｔｕｒｅｓ　ｏｆ　ｔｈｅ　Ａｒｏｍａｔｉｃ　Ｐｏｌｙａｍｉｄｅｓ　Ｐｒｅｐａｒｅｄ　ｆｏｒ　Ｔｈｉｓ　Ｓｔｕｄｙ」の題の下にＩ〜ＸＶＩＩのポリアミドの繰り返し単位の化学構造式が記載されており、そのＴａｂｌｅＩＩには、ポリマーＩ〜ＸＶＩＩについてのη１ＮＨ 、Ｔｇ ℃ 、ｍａｘｎｍ 、ηｉｓｏ  、Δηｍａｘ　などの測定値が記載されている。
  そして、ＴａｂｌｅＩのＸＩＩＩとＸＩＶには次のような化学構造のポリアミドが記載されている。
〔３〕−３．対比・判断
　そこで、この補正発明と刊行物１に記載の発明を対比する。
　刊行物１のＴａｂｌｅＩに記載されているＸＩＩＩ及びＸＩＶはいずれも、ビフェニル構造がアミド基で連結された繰り返し単位を有する点で、補正発明の一般式（ＩＶ）の繰り返し単位を有するポリアミドと、基本骨格の点で同じであり、また、ビフェニル構造の（共有結合に対し）２及び２’の位置に１対の置換基を有する点でも補正発明のポリアミドと同じである。
　したがって、補正発明の一般式（ＩＶ）において、ＢがＣＦ３（Ｃ1-3ハロゲン化アルキル基）、ＡがＢｒ（ハロゲン）、ＹがＮＨであるポリアミドは、ＸＩＩＩのポリアミドに該当する。また、補正発明の一般式（ＩＶ）において、ＢがＣＦ３（Ｃ1-3ハロゲン化アルキル基）、ＡもＣＦ３（Ｃ1-3ハロゲン化アルキル基）、ＹがＮＨであるポリアミドは、ＸＩＶのポリアミドに該当する。
  してみれば、補正発明の重合体は、刊行物１に記載されているＸＩＩＩ及びＸＩＶで示されるポリアミドと一致するものである。
　
〔４〕まとめ
  以上のとおり、補正発明は本出願前に頒布された刊行物１に記載された発明であるから、特許法第２９条第１項第３号に該当し独立して特許を受けることができないものである。
　したがって、本件手続補正は、特許法第１７条の２第５項において準用する同法第１２６条第５項の規定に違反するので、同法第１５９条第１項の規定において読み替えて準用する同法第５３条第１項の規定により却下すべきものである。
　よって、結論のとおり決定する。
　
III．本件審判請求について
１．本願発明について
　平成１７年４月２０日付け手続補正は上記のとおり却下されたので、請求項１〜１１に係る発明は、平成９年４月１１日に提出された補正書の写し（翻訳文）により特許法第１８４条の８第２項の規定に基づいて補正されたも
のとみなされる明細書の特許請求の範囲の請求項１〜１１に記載されたとおりのものであり、その請求項６に記載された発明（以下、「本願発明」という。）は次のとおりである。
「６  ビフェニル環系が、それぞれ、ただ１対の置換基を有し、これにより、ポリアミド及びポリエステルの繰返し単位が、一般式（IV）
に示されるように表される、請求項５記載の重合体。」
　
２．原査定の拒絶理由の概要
　原査定の拒絶理由の理由１の概要は、請求項２〜６に係る発明は、その出願前日本国内又は外国において頒布された下記の刊行物に記載された発明であるから、特許法第２９条第１項第３号に該当し、特許を受けることができないというものである。
　　　　　　　　　　　　　　　　記
　　　　　　　　　　　　　引用文献等一覧
１．H. G. Rogers ら，Highly Amorphous, Birefringent, Para-linked Aromatic Polyamides，Macromolecules，米国，American Chemical Society，１９８５年，Volume 18, No. 6，1058-1068
　
３．当審の判断
（請求項６について）
　上記II．２．〔３〕−３．で述べたとおり、補正発明は、刊行物１に記載された発明である。
　そして、本願発明に係る重合体は、一般式（ＩＶ）の化学構造式からして、補正発明に係る重合体と、その繰り返し単位の基本骨格、置換基及び置換基の位置において何等異なるものではない。
　そうすると、本願発明も補正発明と同様に刊行物１に記載された発明であると言わざるを得ない。
　
４．むすび
  以上のとおりであるから、本願発明は、本出願前に頒布された刊行物１に記載された発明であるから、特許法第２９条第１項第３号に該当し特許を受けることができないものである。
　よって結論のとおり審決する。